(57)【要約】本発明は、好ましくは相重ねて行われる少なくとも２つのプレス作業を遂行するための、高さ段違いラム先端部を備えたロータリプレスに関する。さらに、本発明は、具体的には、１周回の過程で多層および有核タブレットを製造するため、およびタブレットをカップの中に押圧するためのロータリプレスならびに方法に関する。【選択図】図２
2019510637.tif 000002
【特許請求の範囲】
【請求項１】
ロータリプレスの１周回の過程で少なくとも２つのプレス作業を遂行するためのロータリプレスであって、前記ロータリプレスは、ロータ（２８）と、型台（１８）と、上側ラム（１０）を受けるための上側ラムガイド（１７）と、下側ラム（１１）を受けるための下側ラムガイド（１９）と、を含み、
前記上側ラム（１０）は、各々、少なくとも２つの上側ラム先端部（１２、１３）を含み、第１上側ラム先端部（１２）は、第２上側ラム先端部（１３）の長さよりも或る長さ差（ＬＤ１）分短い長さであり、
前記下側ラム（１１）は、各々、少なくとも２つの下側ラム先端部（１４、１５）を含み、第１下側ラム先端部（１４）は、第２下側ラム先端部（１５）の長さよりも或る長さ差（ＬＤ２）分長い長さであり、
前記型台（１８）は、前記第１上側および下側ラム先端部（１２、１４）に整列された第１型キャビティ（３２）を含み、ならびに、前記第２上側および下側ラム先端部（１３、１５）に整列された第２型キャビティ（３３）を含み、
上記により、前記ロータリプレスの前記ロータの１周回の過程で、第１プレス作業において前記第１型キャビティ（３２）中でプレス対象の第１材料（３４）を押圧することができ、第２プレス作業において前記第２型キャビティ（３３）中でプレス対象の第２材料（３５）を押圧することができる、
ことを特徴とする、ロータリプレス。
【請求項２】
前記第１型キャビティ（３２）の大きさならびに前記第１上側および下側ラム先端部（１２、１４）の大きさは、前記第２型キャビティ（３３）の大きさならびに前記第２上側および下側ラム先端部（１３、１５）の大きさよりも小さい、
ことを特徴とする、請求項１に記載のロータリプレス。
【請求項３】
前記ロータリプレスは型インサート（１６）を含み、前記型台（１８）は前記型インサート（１６）に対する凹部（３７）を含み、型インサート（１６）中に、前記第１型キャビティ（３２）および前記第２型キャビティ（３３）が設けられる、
ことを特徴とする、請求項１〜２のいずれか一項に記載のロータリプレス。
【請求項４】
前記ロータリプレスは搬送デバイス（２４）を含み、前記搬送デバイス（２４）は、前記第１プレス作業の後、第１プレス品（３４）を前記第２型キャビティ（３３）の中に搬送する、
ことを特徴とする、請求項１〜３のいずれか一項に記載のロータリプレス。
【請求項５】
前記搬送デバイス（２４）は回転ゲート（３６）または滑動具を含み、前記下側プレスツール（１１）は、前記第１プレス作業の後、前記第１下側ラム先端部（１４）の上端が前記型台（１８）の面と同一平面になる位置に移動することができ、前記回転ゲート（３６）を回転することによってまたは前記滑動具によって、前記第１プレス品（３４）は前記第２型キャビティ（３３）の中に搬送される、
ことを特徴とする、請求項１〜４のいずれか一項に記載のロータリプレス。
【請求項６】
前記第１型キャビティ（３２）ならびに前記第１上側および下側ラム先端部（１２、１４）は、内側ピッチのサークル上に同心円状に配置され、
前記第２型キャビティ（３３）ならびに前記第２上側および下側ラム先端部（１３、１５）は、外側ピッチのサークル上に同心円状に配置される、
ことを特徴とする、請求項１〜５のいずれか一項に記載のロータリプレス。
【請求項７】
前記ロータリプレスはタブレット（１）をカップ（２）中に押圧するのに適し、前記ロータリプレスは、充填ステーション（２９）と、第１プレスステーション（２０）と、カップ挿入ステーション（２２）と、搬送デバイス（２４）と、第２プレスステーション（２５）とを含み、
前記充填ステーション（２９）は、粉体、好ましくは金属酸化物の紛体を前記第１型キャビティ（３２）の中に添加するように構成され、前記第１プレスステーション（２０）は、第１プレス作業において、前記第１型キャビティ中で前記粉体をタブレット（１）に押圧するように構成され、
前記カップ挿入ステーション（２２）は、カップ（２）を前記第２型キャビティ（３３）中に入置するように構成され、
前記搬送デバイス（２４）は、前記タブレット（１）を、前記第２型キャビティ（３３）中に置かれた前記カップ（２）の中に挿入するように構成され、
前記第２プレスステーション（２５）は、第２プレス作業において、前記タブレット（１）を前記カップ（２）の中に押圧するように構成される、
ことを特徴とする、請求項１〜６のいずれか一項に記載のロータリプレス。
【請求項８】
前記第１プレスステーション（２０）は、前記第１プレス作業の過程でプレス圧力を測定するための計測デバイスを含み、前記ロータリプレスは取出しステーション（２３）を含み、前記取出しステーション（２３）は、前記プレス工程の過程における前記プレス圧力が規定の正常範囲から逸脱しているタブレット（１）を取出すように構成される、
ことを特徴とする、請求項７に記載のロータリプレス。
【請求項９】
前記第２プレスステーション（２５）は、前記第２プレス作業の過程で前記プレス圧力を測定するための計測デバイスを含み、前記ロータリプレスは選別ステーション（２６）を含み、前記選別ステーション（２６）は、前記第２プレス作業の過程で圧入されたタブレット（１）を有するカップ（２）を、前記プレス圧力に基づいて、圧入されたタブレット（１）を有する適切なカップ（２）に対する搬送路（２６ａ）、または前記プレス圧力が規定の正常範囲から逸脱する場合には、圧入されたタブレット（１）を有する不適切なカップ（２）に対する搬送路（２６ｂ）、のどちらかに向かわせるように構成される、
ことを特徴とする、請求項７または８に記載のロータリプレス。
【請求項１０】
請求項１〜９のいずれか一項に記載のロータリプレスを用いてボタン型電池用の正電極を製造するための方法であって、前記方法は、
ａ）充填ステーション（２９）によって、粉体、好ましくは金属酸化物の紛体を第１型キャビティ（３２）の中に添加するステップと、
ｂ）前記粉体、好ましくは前記金属酸化物の紛体を第１プレスステーション（２０）によってタブレット（１）に押圧するステップであって、前記プレス圧力が個別的に測定される、ステップと、
ｃ）ステップｂ）で測定されたプレス圧力が正常範囲から逸脱するタブレット（１）を選択的に取出すステップと、
ｄ）カップ挿入ステーション（２２）によって、前記第２型キャビティ（３３）の中に前記カップ（２）を挿入するステップと、
ｅ）好ましくは回転ゲート（３６）を含む搬送デバイス（２４）によって、前記第２型キャビティ（３３）中に置かれた前記カップ（２）の中に前記タブレット（１）を挿入するステップと、
ｆ）前記第２プレスステーション（２５）、および前記第２上側ラム先端部（１３）と第２下側ラム先端部（１５）との相互作用によって、前記タブレット（１）を前記カップ（２）の底に押圧するステップであって、前記プレス圧力が個別的に測定される、ステップと、
ｇ）前記正電極を取出すステップであって、前記正電極は、選別ステーション（２６）によって、ステップｆ）で測定された前記プレス圧力に基づいて、適切な正電極に対する搬送路（２６ａ）または不適切な正電極に対する搬送路（２６ｂ）に選択的に向かわされる、ステップと、
を含む、方法。
【請求項１１】
ロータリプレスの１周回の過程で少なくとも３つのプレス作業を遂行するための、請求項１〜６のいずれか一項に記載のロータリプレスであって、
前記ロータリプレスは有核タブレット（４３）の製造に適し、前記ロータリプレスは、充填ステーション（２９）と、第１プレスステーション（２０）と、第２充填ステーション（３８）と、第２プレスステーション（２５）と、搬送デバイス（２４）と、第３充填ステーション（３９）と、第３プレスステーション（４０）とを含み、
前記充填ステーション（２９）は、第１粉体を前記第１型キャビティ（３２）の中に添加するように構成され、
前記第１プレスステーション（２０）は、第１プレス作業において、前記第１型キャビティ（３２）中で前記第１粉体を核タブレット（４１）に押圧するように構成され、
前記第２充填ステーション（３８）は、第２粉体を前記第２型キャビティ（３３）の中に添加するように構成され、
前記第２プレスステーション（２５）は、第２プレス作業において、前記第２型キャビティ（３３）中で前記第２粉体を押し固めるように構成され、
前記搬送デバイス（２４）は、前記核タブレット（４１）を、前記第２型キャビティ（３３）の中の既に押し固められた前記第２粉体の上に挿入するように構成され、
前記第３充填ステーション（３９）は、前記第２粉体を前記第２型キャビティ（３３）の中に添加するように構成され、これにより前記核タブレット（４１）は前記第２粉体によって覆われ、
前記第３プレスステーション（４０）は、前記第２型キャビティ（３３）中の前記第２粉体で覆われた前記核タブレット（４１）を有核タブレット（４３）に押圧するように構成される、
ことを特徴とする、ロータリプレス。
【請求項１２】
前記諸プレスステーションは、上側および下側加圧ローラを含み、前記上側および下側加圧ローラは前記ラム（１０、１１）上に作用する、
ことを特徴とする、請求項７〜１１のいずれか一項に記載のロータリプレス。
【請求項１３】
前記第１プレスステーション（２０）は、前記第１プレス作業の過程で前記プレス圧力を測定するための計測デバイスを含み、前記ロータリプレスは取出しステーション（２３）を含み、前記取出しステーション（２３）は、前記プレス工程の過程における前記プレス圧力が規定の正常範囲から逸脱する核タブレット（４１）を取出すように構成される、
ことを特徴とする、請求項１１または１２に記載のロータリプレス。
【請求項１４】
前記第３プレスステーション（４０）は、前記第３プレス作業過程における前記プレス圧力を測定するための計測デバイスを含み、前記ロータリプレスは選別ステーション（２６）を含み、前記選別ステーション（２６）は、前記第３プレス作業過程での前記プレス圧力に基づいて、有核タブレット（４３）を、適切な有核タブレット（４３）に対する搬送路（２６ａ）または不適切な有核タブレット（４３）に対する搬送路（２６ｂ）に導くように構成される、
ことを特徴とする、請求項１１〜１３のいずれか一項に記載のロータリプレス。
【請求項１５】
請求項１〜６または１２〜１４のいずれか一項に記載のロータリプレスを用いて有核タブレット（４３）を製造するための方法であって、前記方法は、
ａ）第１充填ステーション（２９）によって、前記有核タブレット（４３）の核用の第１粉体を第１型キャビティ（３２）の中に添加するステップと、
ｂ）第１プレスステーション（２０）によって、前記第１粉体を、核タブレット（４１）に押圧するステップであって、前記プレス圧力が個別的に測定される、ステップと、
ｃ）ステップｂ）で測定されたプレス圧力が正常範囲から逸脱する核タブレット（４１）を選択的に取出すステップと、
ｄ）第２充填ステーション（３８）によって、前記有核タブレット（４３）のコーティングのための第２粉体を第２型キャビティ（３３）の中に添加するステップと、
ｅ）第２プレスステーション（２５）によって、前記第２粉体を押し固めるステップと、
ｆ）好ましくは回転ゲート（３６）を含む搬送デバイス（２４）によって、前記第２型キャビティ（３３）中に置かれた、押し固められた前記第２粉体の中に前記核タブレット（４１）を挿入するステップと、
ｇ）第３充填ステーション（３９）によって、前記核タブレット（４１）が前記第２粉体で覆われるように前記第２粉体を第２型キャビティ（３３）の中に添加するステップと、
ｈ）第３プレスステーション（４０）によって、前記第２粉体でコートされた前記核タブレット（４１）を有核タブレット（４３）に押圧するステップであって、前記プレス圧力が個別的に測定される、ステップと、
ｉ）選別ステーション（２６）によって前記有核タブレット（４３）を取出すステップであって、前記有核タブレット（４３）は、ステップｈ）で測定された前記プレス圧力に基づいて、適切な有核タブレットに対する搬送路（２６ａ）または不適切な有核タブレットに対する搬送路（２６ｂ）に選択的に向かわされる、ステップと、
を含む、方法。
【発明の詳細な説明】
【技術分野】
【０００１】
本発明は、好ましくは相重ねて行われる、少なくとも２つの高さ段違いプレス作業を遂行するための少なくとも２つの高さ段違いラム先端部を備えたラムを有するロータリプレスに関する。さらに、本発明は、具体的には、１周回の過程で、多層および有核（coat-core）タブレットを製造するため、およびタブレットをカップの中に押圧するためのロータリプレスならびに方法に関する。
【背景技術】
【０００２】
本発明は、製薬、技術、もしくは化学産業、または食品産業において、粉末状材料から、大量のタブレットまたはペレットを製造するために用いられるロータリプレスの分野に関する。かかるロータリプレスは、例えば特許文献１または特許文献２などでよく知られている。
【０００３】
既知の従来技術では、ロータリプレスは、好ましくは、１周回の過程で１種類のタブレットまたはペレットを製造するための１つのプレス作業を行う。既知のロータリタブレットプレスは、上側ラムと下側ラムとを含み、これらは、型台の型キャビティ中の粉末状材料を圧縮するために相互作用する。しかしながら、多数の用途では、とりわけ複数の成分からペレットを製造するには、連続的に順々に別のプレス作業を実行する必要がある。
【０００４】
例えば、化学技術分野では、電池、特にボタン型電池を製造するためにロータリプレスが使用される。最新技術のボタン型電池は、通常、以下のように組み立てられる。ボタン型電池は、通常、金属酸化物の粉体で作られたタブレット、いわゆる正電極（cathode）が中に配置され押圧されたカップから成る。ボタン型電池の以降の組み立てでは、圧入された金属酸化物の上にセパレータが置かれ、ダイアフラムシートを備えたガスケットがカップ中に挿入され、ダイアフラムシートの上に亜鉛紛（陰極（anode））が施され、そして最上部に蓋（負電極（negative pole））が配置される。次いで、工具でカップの開口部が内側に圧接され、蓋はガスケットの圧力を介して押さえつけられ、次いでボタン型電池は気密にシールされる。
【０００５】
これは、ロータリプレスを使って、ボタン型電池用の正電極を製造するためには、少なくとも、ｉ）金属酸化物の紛体からタブレットを押圧するステップと、ｉｉ）カップを型の中に配置するステップと、ｉｉｉ）タブレットをカップの中に配置するステップと、ｉｖ）タブレットをカップの底に押圧するステップとが必要であることを意味する。
【０００６】
従来技術から、第１ロータリプレスを使って金属酸化物の紛体からタブレットを製造することが知られている。次いで、タブレットは、組立機内に供給され、該組立機でタブレットをカップの中に挿入することができる。カップと挿入されたタブレットは、次いで第２ロータリプレスに運搬される。このマシンで、タブレットを含むカップは順次に型の中に挿入される。その後のプレス作業で、タブレットはラムによって再度加圧され、これによりタブレットはより平たくされ、一方その直径は増大する。圧入されたタブレットはこのときカップの底部に在し、カップ縁部に対し隙間なく圧接している。この既知の方法では、３台のマシン、すなわち、２台のロータリプレスと１台の組立機が機械的に連結される。この製造ワークフローはしたがってコスト高で作業中断を起こしやすい。
【０００７】
また、従来技術から、機械的に連結されていない２台のロータリプレスだけを使う製造方法を用いることも知られている。この方法では、第１ロータリプレスで、金属酸化物の紛体からタブレットが押圧され、第２の別個のロータリプレスで、それらタブレットがカップの中に挿入され、カップの底に押圧される。これらの製造ステップの各々がロータの全１回転を必要とする。したがって、これらの一連のステップを１周回の過程で遂行できる単一のロータリプレスを提供するのは有益であろう。
【０００８】
様々なプレス作業の連続的な遂行を必要とする別の例の用途には、多層タブレットまたは有核タブレット（タブレット中のタブレット）の製造がある。有核タブレットは様々な材料から成り、コーティング材料に包含された核を含む。例えば、核は、時間的に遅れて、すなわちコーティング材料が溶解した後、体内で放出される有効成分を含有することができる。
【０００９】
有核タブレットを製造する既知の従来技術では、最初に第１ロータリプレスで核または核タブレットが製造される。次いで、それらの核は、別のロータリプレス上の型の中に挿入される。この工程では、核が型に挿入された後、コーティング用の粉体が、コーティングおよび核が有核タブレットへと圧縮されるように、型に供給される。したがって、既知の従来技術では、核を製造するステップと、核をコーティングとともに押圧するステップとのために複数のロータリプレスが必要となる。これは、コストの増加および必要空間の増大をもたらす。さらに、これらロータリプレスの間で必要な調整によって作業中断が生じ易くなる。
【００１０】
特許文献３は、様々なモジュールおよび搬送システムを用いる、多層の圧縮調剤形態を製造するための方法を開示している。この方法も、同様に増大した作業量によって特徴付けられ、ロータリプレスの単一周回の過程で多層タブレットを製造することはできない。
【００１１】
特許文献４および特許文献５から、相互に対し動きの可能な、内側と外側との上側および下側ラムを備えるロータリプレスによって、多層の成形品が製造できることがさらに知られている。内側と外側との上側および下側ラムの両方は、それぞれ少なくとも２つのラム先端部を含み、これにより、内側または外側の上側ラム先端部のそれぞれの対が、内側または外側の下側ラム先端部の対と、単一の型穴（die bore）中で相互作用することができる。この型穴の形状および寸法は、外側ラム先端部の如何による。これらのロータリプレスにおいて、内側の上側および下側ラムは、トラス頭を含む内側ラムシャフトに連結されており、一方、外側の上側および下側ラムは、ローラガイドのガイドの部分と相互作用する。内側ラムに対する内側シャフトのトラス頭を駆動するため、および外側ラムに対するローラガイドのガイド部分を駆動するため、ロータリプレスの上部および下部カム軌道中にそれぞれ制御カムが設けられる。内部および外部のラムが別個に制御可能なので、多様な形状を有するさらに複雑な成形品をピッチサークル上の型穴中で製造することができる。このプレスの不利点は、非常に長い上側および下側型ホルダを備える２つの上部および下部カム軌道による複雑で高精度に調整された制御プロセスが必要なことであり、主ステーションが相互重ねて配置された２対の加圧ローラを含む。
【００１２】
したがって、個別的に相重ねて行うことが可能な連続的な製造ステップが、簡単な構造の手段を用いて、単一のロータリプレスにおいて遂行できたならば、多くの用途分野のために有益であろう。
【先行技術文献】
【特許文献】
【００１３】
【特許文献１】独国特許出願公開第１０２  １２９５９Ａ１号
【特許文献２】独国実用新案登録第２０２  ２０４４０Ｕ１号
【特許文献３】米国特許出願公開第２００３／００７２７９９Ａ１号
【特許文献４】欧州特許出願公開第１  ４４０  ７９０Ａ１号
【特許文献５】欧州特許出願公開第１  ４３７  １１６Ａ１号
【発明の概要】
【課題を解決するための手段】
【００１４】
本発明によって取り扱う対象の問題は、したがって、従来技術の欠点を排除し、１周回の過程で個別的に相重ねて行うことが可能な相異なるプレス作業を次々と遂行できるロータリプレスを提供することである。
【００１５】
本発明によれば、この問題は独立請求項によって解決される。従属請求項は、本発明によるデバイスおよび本発明による方法の好適な実施形態を示す。
【００１６】
本発明は、したがって、好ましくはロータリプレスの１周回の過程で少なくとも２つのプレス作業を遂行するためのロータリプレスに関し、前記ロータリプレスは、ロータと、型台（die table）と、上側ラムを受けるための上側ラムガイドと、下側ラムを受けるための下側ラムガイドとを含み、該上側ラムは少なくとも２つの上側ラム先端部を含み、第１上側ラム先端部は、第２上側ラム先端部よりも長さ差（ＬＤ１）分短い長さであり、該下側ラムは少なくとも２つの下側ラム先端部を含み、第１下側ラム先端部は、第２下側ラム先端部よりも長さ差（ＬＤ２）分長い長さであり、型台は、第１上側および下側ラム先端部に向けて方位付けられた第１型キャビティを含み、これにより、１周回の過程で、第１プレス作業においてプレス対象の第１材料を第１型キャビティ中で押圧することが可能であり、第２プレス作業においてプレス対象の第２材料を第２型キャビティ中で押圧することが可能である。
【００１７】
本発明によるロータリプレスは、従来技術で周知の一般的型式のロータリプレスである。このロータは、好ましくは、上側ラムと下側ラムとの相互作用によって粉末状材料を型台の型キャビティ中でペレットまたはタブレットに押圧できるように、ラムを受けるための上側および下側ラムガイドを含む。本発明によれば、これら上側および下側ラムは、好ましくは、型台の型キャビティとともに、材料をペレットまたはタブレットに押圧するためのプレスツールを形成する。本発明によれば、好ましくは、該プレスツールは、上側ラム、下側ラム、および型の一式を所定し、これらは周回の過程で連係して作動される。該ロータリプレスは複数のプレスツールを含むことが好ましく、これらは、上側および下側ラムガイド中および型台中に同心円状に配置される。本発明での意味において、上側および下側ラムは、好ましくは、それぞれ上側および下側ラム先端部の一式を所定し、これらは周回の過程で連係して作動される。一実施形態において、ラムは複数のラム先端部から構成することができ、これらは連係して作動される。また一方、ラムがラムシャフトおよび２つ以上のラム先端部を含むことを選ぶこともでき、これら先端部はラムシャフトの中に螺入または挿入することができる。これは、手間をかけずにラムのラム先端部を交換することを有利に可能にする。また一方、ラムがラムシャフトおよび２つ以上のラム先端部で構成されることを選ぶこともでき、このラムシャフトおよびラム先端部は一体的に結合される。上側ラムの設計で、上側ラム先端部の配置および長さを決めることが可能で、これらは上側ラムに関連付けられる。これは、同様に下側ラムにも適用され、該ラムは少なくとも２つの下側ラム先端部を含む。本発明によれば、ラム先端部の長さとは、好ましくは、型台の平面に垂直なプレス方向に沿ったラム先端部の延長を指す。ラムがラムシャフトを含む場合、上側ラム先端部の長さは、好ましくは、ラムシャフトの底面からから測定され、下側ラム先端部の長さはラムシャフトの最上面からから測定される。この挿入されたラム先端部の長さは、好ましくは、挿入されたラム先端部の突き出た部分の長さである。例として、好適な上側ラムは、１２ｍｍの長さを有する第１上側ラム先端部と、１４ｍｍの長さを有する第２上側ラム先端部とを含むことができ、好適な下側ラムは、１５ｍｍの長さを有する第１下側ラム先端部と、１３ｍｍの長さを有する第２下側ラム先端部とを含むことができる。この例では、第１上側ラム先端部と第２上側ラム先端部との間の長さ差はＬＤ１＝２ｍｍである。同様に、第１下側ラム先端部と第２下側ラム先端部との間の長さ差はＬＤ２＝２ｍｍである。本発明によれば、具体的にラム中のこれら上側および下側ラム先端部の長さ差は固定的である。本発明によれば、上側ラムが、第２上側ラム先端部よりも、長さ差（ＬＤ１）分短い長さの第１上側ラム先端部を含むことが好ましい。２つの上側ラム先端部のこの長さ差は、プレスの動きの過程で、第２上側ラム先端部が最初に第２型キャビティの中に挿入されるという効果をもたらす。この長さ差（ＬＤ１）によって、第２上側ラム先端部が第２型キャビティの中に既に挿入された後でだけ、第１上側ラム先端部は、型台の上面と同一平面の位置になりになり、第１型キャビティの中に挿入される。これに相応じて、下側ラム先端部の本発明による長さ差ＬＤ２は、下側ラム先端部の第１および第２型キャビティへの段違い挿入をもたらす。
【００１８】
本発明によれば、各々が、型キャビティの平面に対し異なる長さの少なくとも２つのラム先端部を有する、上側および下側ラムを含むラムは、また好ましくは高さ段違いまたは段違いラムとも呼ばれる。高さ段違いラムを有するロータリプレスは、従来技術からの新展開を意味する。タブレットまたは他のペレットを量産するための、２つ以上のラム先端部いわゆる多重ラムを備えるロータリプレスの活用は知られているが、既知の従来技術のラムはどれも同じ長さの先端部を含む。従来技術の多重ラムは、例えば、押型（press）上に同一形状を有するタブレットまたはペレットを製造するために使われる。当業者は、異なった長さのラム先端部を有する上側または下側ラムの使用は、タブレットまたはペレットの特性のばらつきをもたらすと考えたかもしれない。例えば、複数ラムプレスツールのラム先端部の相異なる長さは、タブレット重量、縁高さ、またはタブレットの硬度を変化させる可能性があろう。したがって、本発明によるロータリプレスの高さ段違いラムは、従来技術からの新展開を意味する。本発明によって、この高さ段違いは、ロータリプレスに対し多くの予想以上の利点をもたらすことが認識された。
【００１９】
例えば、上側および下側ラムそれぞれのラム先端部の高さ段違いによって１周回の過程において単一のロータリプレス上で次々と別個のプレス作業を遂行することができる。例えば、ロータリプレスの周回の第１半周において、第１型キャビティ中での第１上側および下側ラム先端部の相互作用を介して、第１種類のタブレットを製造することを選ぶことができる。この第１プレス作業の間は、好ましくは第２型キャビティ中にはプレス対象の材料はない。周回の第２半周において、本発明による段違いラム設計によって、第２型キャビティ中で第２種類のタブレットを押圧することが可能である。高さ段違いラムによって、これら２つのプレス作業は、相互に別個のものとすることができる。例えば、プレス対象の第１材料は、第１下側ラム先端部によって上方に取出すことが可能で、この間、第２下側ラム先端部は、型台の面の下の位置にあって、プレス対象の第１材料の排出の邪魔をすることはない。
【００２０】
或る好適な実施形態において、長さ差ＬＤ１と長さ差ＬＤ２とはほぼ等しい。本発明による、表現「ほぼ（ｎｅａｒｌｙ）」および「約（ａｂｏｕｔ）」は、好ましくは、許容範囲±１５％好ましくは±１０％を示すと理解する。この好適な実施形態において、第１上側ラム先端部の底面と第１下側ラム先端部の上面との間の距離が、第２下側ラム先端部の上面から第２上側ラム先端部の底面までの距離とほぼ等しいように、ラムの相互的な高さ段違いがされる。これは、例えば、同じ縁高さを有する第１および第２プレス品を製造する際に利点がある。好適な高さ段違いラムは、例えば、以下の長さ差を有してよい。ＬＤ１＝１ｍｍ且つＬＤ２＝１ｍｍ、ＬＤ１＝１．４ｍｍ且つＬＤ２＝１．５ｍｍ、ＬＤ１＝２．５ｍｍ且つＬＤ２＝２．５ｍｍ、ＬＤ１＝２ｍｍ且つＬＤ２＝１．９ｍｍ、ＬＤ１＝３ｍｍ且つＬＤ２＝３ｍｍ、ＬＤ１＝４ｍｍ且つＬＤ２＝４ｍｍ、ＬＤ１＝６ｍｍ且つＬＤ２＝６．３ｍｍ、ＬＤ１＝２．５ｍｍ且つＬＤ２＝２．５ｍｍ、ＬＤ１＝８ｍｍ且つＬＤ２＝８．２ｍｍ、ＬＤ１＝１０ｍｍ且つＬＤ２＝１０ｍｍ、またはさらにＬＤ１＝１５ｍｍ且つＬＤ２＝１４．８ｍｍ。
【００２１】
相異なる高さまたは硬度のタブレットを製造するために、長さ差ＬＤ１と長さ差ＬＤ２とが不等であることをさらに選ぶことが可能である。相異なって押圧される製品、または相重ねて押圧されるプレス品を製造するためのこのフレキシビリティは、本発明によるロータリプレスの独特の利点である。したがって、好適な高さ段違いラムは、例えば、以下の長さ差を有してもよい。ＬＤ１＝１ｍｍ且つＬＤ２＝１．５ｍｍ、ＬＤ１＝１．４ｍｍ且つＬＤ２＝１．９ｍｍ、ＬＤ１＝２ｍｍ且つＬＤ２＝２．５ｍｍ、ＬＤ１＝２ｍｍ且つＬＤ２＝４ｍｍ、ＬＤ１＝３ｍｍ且つＬＤ２＝５ｍｍ、ＬＤ１＝４ｍｍ且つＬＤ２＝５ｍｍ、ＬＤ１＝６ｍｍ且つＬＤ２＝７ｍｍ、ＬＤ１＝６ｍｍ且つＬＤ２＝８ｍｍ、ＬＤ１＝７ｍｍ且つＬＤ２＝５ｍｍ、ＬＤ１＝６ｍｍ且つＬＤ２＝７ｍｍ、ＬＤ１＝６ｍｍ且つＬＤ２＝８ｍｍ、ＬＤ１＝７ｍｍ且つＬＤ２＝５ｍｍ、ＬＤ１＝６ｍｍ且つＬＤ２＝４．５ｍｍ、ＬＤ１＝８ｍｍ且つＬＤ２＝５ｍｍ、またはさらにはＬＤ１＝３．５ｍｍ且つＬＤ２＝２ｍｍ、ＬＤ１＝１．５ｍｍ且つＬＤ２＝０．８ｍｍ、ＬＤ１＝２．２ｍｍ且つＬＤ２＝１．５ｍｍ、またはさらにＬＤ１＝０．９ｍｍ且つＬＤ２＝０．６ｍｍ。
【００２２】
さらに、高さ段違いラムは、単一の周回過程で、第１プレス品をさらに第２プレス作業において加工することを可能にする。例えば、第１下側ラム先端部は、第１プレス作業において、その上端を型台の面と同一平面にして作動することができる。高さ段違いによって、第２下側ラムは、好ましくは、第２型キャビティ内のすなわち型台の面の下方の当該位置にある。しかして、第１プレス品は、例えば、滑動具、回転ゲート、または別の運搬デバイスを使って、第２型キャビティの中に搬送することができる。その後、他の材料を加えることによって、第１プレス品を包含する第２プレス品を製造することが可能である。ラムの高さ段違いは、ロータリプレスの単一の周回の過程で、特に信頼性のある順次的生産、およびプレス済み製品の随意的なさらなる加工を有利に可能にする。このように、１周回の過程において、第１型キャビティと第２型キャビティとにおいて、多層プレス品を製造することができる。
【００２３】
さらに、各々のラムが少なくとも３つまたは４つのラム先端部を含み、型台が、これに沿って配列された少なくとも３つまたは少なくとも４つの型キャビティを含むことを選ぶことも可能である。これらのラム先端部は、互いの間で段違いの長さ差を有することができる。また、上側ラム先端部の数が偶数の場合、上側ラム先端部の第１半分が、上側ラム先端部の第２半分の長さよりも、長さ差ＬＤ１分短い長さを有することを選ぶことも可能である。相応じて、下側ラム先端部の第１半分が、下側ラム先端部の第２半分の長さよりも、長さ差ＬＤ２分長い長さを有することを選べよう。有利には、第１および第２プレス作業の過程で、多重第１および第２プレス品を製造することができる。高さ段違いラムに対するラム先端部の数の増加は、製造されるプレス品の数と複雑さとの両方の増大を可能にする。
【００２４】
本発明によれば、型キャビティとは、好ましくは、上側および下側ラムの相互作用によってペレットに押圧するためプレス対象の材料が挿入される、型台中の凹部または開口部を指す。型キャビティは、しかして型台を貫通するせん孔であって、これは横側境界によって圧縮空間を画定する。型キャビティの横側境界または側壁は、好ましくは型台または型インサートによって形成される。型キャビティの断面は、ペレットの所望の形状に基づいて変えることができる。例えば、型キャビティは、好ましくは、円形、矩形、三角形、星形、楕円形、卵形であってよく、または他の形状を取ってもよい。但し、成形ツールとして材料を効果的に押圧するために、上側および下側ラムのラム先端部は、対応する型キャビティと一致する断面を有することが好ましい。本発明によれば、第１および第２型キャビティとは、好ましくは、型台中の２つの別個のキャビティまたはせん孔を指し、第１上側ラム先端部と下側ラム先端部とは、第１型キャビティ中で相互作用し、他方、第２上側および下側ラム先端部は、第２型キャビティ中で相互作用する。
【００２５】
本発明の或る好適な実施形態において、第１型キャビティの大きさならびに第１上側および下側ラム先端部の大きさは、第２型キャビティの大きさならびに第２上側および下側ラム先端部の大きさよりも小さい。本発明による型キャビティの大きさは、好ましくは、型キャビティの断面の特性拡大である。型キャビティが円形断面によって特徴付けられる或る好適な実施形態において、この大きさは、好ましくは該円形の直径に一致する。正方形の型キャビティの場合には、その大きさは、好ましくは正方形の長さに一致する。型キャビティに対応するラム先端部は、好ましくは、該型キャビティと一致する断面、しかしてほぼ同一の大きさを有する。ラム先端部の大きさは、これら先端部がぴったり適合して型キャビティの中に挿入が可能なように調整される。また、ラム先端部の相互作用によって製造されるペレットは、好ましくは、型キャビティの断面、しかしてその大きさをとる。異なるサイズの大きさを有する第１型キャビティの設計によって、第１プレス品と第２プレス品とは相異なる大きさの断面を有する。有利には、より小さな大きさを有する第１プレス品は、第２型キャビティの中に幾何学的に収まる。例えば、型キャビティが円形断面を有し、第１型キャビティの直径を３ｍｍ、第２型キャビティの直径を４ｍｍとすることを選ぶことができる。また、これら型キャビティが相異なる形状の断面域を有することを選ぶことも可能である。例えば、第１型キャビティが、好ましくは、３ｍｍの辺長を有する正方形であり、一方、第２型キャビティは、５ｍｍの直径を有する円形の開口を有してよい。第１型キャビティと第２型キャビティとのこの相異なる大きさは、望ましくは、第１プレス品を第２型キャビティの中に搬入できる効果を持つ。これは、特に、順次的に相重ねて行われるプレス作業によって、多層タブレットまたは有核タブレットなどの複雑な製品を１周回で信頼性をもって製造することを可能にする。
【００２６】
これら型キャビティは、いろいろな仕方で型台中に形成することができる。例えば、型台が全体としてロータに存在し、型キャビティが該型台中の凹部または開口部によって形成されることを選ぶことが可能である。円形のキャビティが型台中のせん孔として形成されることが好ましい。さらに、型台を区分し、型台の各セグメント中に複数の第１および第２型キャビティの対を設けることを選ぶことも可能である。第１型キャビティと第２型キャビティとの間の切替えは、これらの型セグメントを切替えることによって行われる。
【００２７】
本発明の或る好適な実施形態において、型台は、型インサートのための凹部を含み、第１型キャビティおよび第２型キャビティは１つの型インサートの中に存在する。この好適な実施形態において、型キャビティはいわゆる型インサート中に設けられる。これら好適な型インサートは、少なくとも対で高さ段違いにされたラムに対する、型キャビティの特に高精度な調節を可能にする。さらに、これら型インサートは、ラムとともに特に効率的で迅速に取り外すことができる。第１および第２型キャビティに対しそれぞれ１つの型インサートを用いる代わりに、単一の型インサートを交換することにより両方の型キャビティを置き換えることができる。
【００２８】
或る好適な実施形態において、本発明はロータリプレスに関し、該ロータリプレスは搬送デバイスを含み、該搬送デバイスは、第１プレス品を第２型キャビティの中に搬入する。この実施形態は、ロータリプレスの１周回の過程で、相重ねて行われるプレス作業を遂行することを有利に可能にする。第１プレス作業では、例えば第１有効成分を含有するタブレットなどの第１プレス品を製造することができる。次いで、この第１タブレットを第２型キャビティに搬送し、別の有効成分またはコーティング材料を加えることによって、多層タブレットにさらに加工することができる。好ましくは、様々な種類の搬送デバイスが使用可能である。これらには、滑動具、スクレーパ、回転ゲート、星形ホイール、把持具、バキュームヘッド、ループ、または他の機械的搬送デバイスが含まれる。本発明によれば、高さ段違いラムは、とりわけ効率的な搬送デバイスの使用を可能にし、このデバイスは、型台の表面を横切って第１プレス品を押進することができる。
【００２９】
或る好適な実施形態において、搬送デバイスは、該搬送デバイスが回転ゲートまたは滑動具を含むことと、第１プレス作業の後、下側ラムは第１下側ラム先端部の上端が型台の面と同一平面になる位置に移動させることができ、回転ゲートを回転することによってまたは滑動具によって、第１プレス品が第２型キャビティの中に搬送されることと、を特徴とする。回転ゲートまたは滑動具の形でのこの好適な搬送デバイスは、とりわけ高速のサイクルレートで、第２型キャビティ中への第１プレス品の搬送を可能にする。第１下側ラムは、下側ラム先端部の上端が型台の面と同一平面になる位置に動かすことができ、一方、第２下側ラム先端部は、好ましくは第２型キャビティ内の型台の面の下方に位置付けられる。第２型キャビティは、こうして第２下側ラム先端部によってとざされ、第１プレス品の受け手としてこれを受けるように準備される。この状況で、ラムを当該位置に迅速に動かすことができ、その間に押圧された製品が回転ゲートまたは滑動具を使って第２型キャビティに移動されることは予想以上のものであった。さらに、これら好適な搬送デバイスは、迅速なサイクルレートを可能にするだけでなく、予想以上に高精度である。第１プレス品は、しかして、具体的には回転ゲートまたは滑動具を使って、第２型キャビティの中心位置に置くことができる。この状況において、これら好適な搬送デバイスが、明らかにより小さな大きさを有する第１プレス品およびほぼ同じ大きさを有する製品の両方を、ぴったり適合させて第２型キャビティの中に確実に入置できることは予想以上のものであった。
【００３０】
或る好適な実施形態において、本ロータリプレスは、第１型キャビティならびに第１上側および下側ラム先端部が、内側ピッチのサークル上に同心円状に配置され、第２型キャビティならびに第２上側および下側ラム先端部は、外側ピッチのサークル上に同心円状に配置されることを特徴とする。「内側」ピッチのサークルは、好ましくは、「外側」ピッチのサークルと比べて、回転の軸周りに、より小さな直径を有し、好ましくは外側ピッチのサークルは内部ピッチのサークルをとり囲む。第１プレス作業の後、第１プレス品の第２型キャビティへの搬送は、第１型キャビティが第２型キャビティに対比して内側のサークルに同心円状に配置されている場合に、とりわけ高速で正確に行えることが判明した。例えば、把持アーム、滑動具、または回転ゲートを使って、第１プレス品を内側から外側に素早く、位置合わせされた運動で移動させることができる。遠心力に沿った搬送は、その反対方向に比べて予想以上の高い正確さであった。さらに、内側および外側サークル上の第１型キャビティおよび第２型キャビティの半径方位付けは、型キャビティを型台上に特に高い密度で配置することを可能にする。第１および第２型キャビティのこの好適な配置は、高速レートでの順次の連続的プレス作業の遂行を可能にするばかりでなく、ロータリプレスの増大された生産性をもたらす。
【００３１】
或る好適な実施形態において、本発明は、カップの中にタブレットを押圧するのに適した、第１充填ステーションと第１プレスステーションとカップ挿入ステーションと搬送デバイスと第２プレスステーションとを含む、ロータリプレスに関し、第１供給ステーションは、好ましくは金属酸化物粉である粉体を第１型キャビティの中に添加する（dose）ように構成され、第１プレスステーションは、第１プレス作業において第１型キャビティの中のその粉体をタブレットに押圧するように構成され、カップ挿入ステーションは、カップを第２型キャビティの中に挿入するように構成され、搬送デバイスは、第２型キャビティ中に置かれたカップの中にタブレットを挿入するように構成され、第２プレスステーションは、第２プレス作業においてタブレットをカップの中に押圧するように構成される。
【００３２】
この好適な実施形態は、１周回の過程で、第１型キャビティ中で第１タブレットまたはペレットを製造し、さらなる加工のためそれを第２型キャビティ中のカップに移送することを有利に可能にする。次いで、そのタブレットまたはペレットは、第２プレス作業において、カップの底に押圧される。既知の従来技術では、タブレットをカップの中に押圧するためには少なくとも２つのロータリプレスが必要である。このためには、第１ロータリプレスで製造されたタブレットを保管し、搬送し、第２ロータリプレスに供給するなど、様々な補助工程が必要となる。本ロータリプレスは、したがって、一方ではスペースおよび材料を節減することを特徴とする。他方では、これらの補助工程が排除されるので、本好適なロータリプレスは、エネルギを節減し、製造工程をより効率的にする。本ロータリプレスが金属酸化物粉をカップ中に押圧するのに適していることがとりわけ好ましく、これにより正電極を供給することが可能で、これをボタン型電池にさらに加工することができる。本好適なロータリプレスは、化学工業において電池を製造するため使用するのに適しているだけでなく、同様に、タブレットまたはペレットが容器中に押圧される他の用途に対しても前述した利点を有する。
【００３３】
充填ステーションと、第１プレスステーションと、カップ挿入ステーションと、搬送デバイスと、第２プレスステーションとが、ロータリプレスの回転の方向に沿って、順次に配置されることが好ましい。第１型キャビティの中への粉末状材料の添加（dosing）を確実にするために、様々な既知の充填ステーションを用いることが可能である。このために、充填ステーションは、好ましくは、材料供給部を包含し粉末状材料を第１型キャビティの中に添加するように設計されたフィードシューを含む。ボタン型電池の正電極の製造のためには、第１および第２型キャビティが円形の断面を有し、第１型キャビティの直径は第２型キャビティの直径よりも小さいことが好ましい。他の用途に対しては、他の形状の型キャビティが好適であり得る。粉末状材料を第１型キャビティの中に充填した後、添加デバイス（dosing device）が、好ましくは、第１型キャビティ中の粉末状材料の量を調整する。このため、第１下側ラムは、第１型キャビティを充填する前に深底レベルの取入れ位置に移動し、次いで所望の高さまで上昇することができる。余剰の粉末状材料は、好ましくはスクレーパを使って除去される。残った粉体の量はこれによりうまく画定され、一定の重量のタブレットの製造を可能にする。この充填ステーションの後に第１プレスステーションが続くのが好ましい。第１プレスステーションとして加圧ローラステーションを選ぶことが可能である。加圧ローラステーションにおいて、上側および下側加圧ローラが、第１上側および下側ラム先端部の相互作用によって粉末状材料が第１型キャビティ中に押圧されるように、上側または下側ラムヘッドにそれぞれ力を加えることが好ましい。
【００３４】
カップ挿入ステーションは、望ましくは、周回の方向沿いに第１プレスステーションに後続する。カップ挿入ステーションは、好ましくは、第２型キャビティの中にカップを入置する。例えばコンベアベルトなどのカップ供給デバイスが、カップ挿入ステーションにカップを供給することができる。カップ挿入ステーションは、好ましくは、カップ引取りおよび引渡しデバイスを含み、これは例えば、回転ゲートであってもよい。カップは、好ましくは挿入の前に分離され、このためには把持アームに使用が好ましい。これらは、第２型キャビティ中へのカップの正確な位置付けを可能にする。有利には、カップを挿入するための他の従来技術のデバイスを、同様に本ロータリプレスと組み合わせることが可能である。
【００３５】
後続の搬送デバイスは、第１プレス作業で製造されたタブレットをカップの中へ搬送できるように設計され、該カップは第２型キャビティの中に挿入される。この搬送デバイスは、好ましくは、半径方向に延びる押出しアームを有し、その回転が型台上でタブレットを移動させることが可能な回転ゲートである。このために、第１下側ラム先端部は、該第１下側ラム先端部の上端が型台の面と同一平面に移動されることが好ましい。この位置において、タブレットは、型台と同じレベルの第１下側ラム先端部上に横たわる。有利には、このタブレットの搬送には、タブレットをカップの中に入置するために把持具などによる一切の持ち上げを必要としない。代わりに、単にタブレットを動かすだけでタブレットの迅速で正確な搬送が達成される。具体的に、これは搬送中のタブレットの摩損または損傷を効果的に防止する。本発明による下側ラムの高さ段違いによって、第２下側ラム先端部は、タブレットの搬送の間、第２型キャビティ中の型表面より下方に位置している。第１下側ラム先端部と第２下側ラム先端部との間の長さ差ＬＤ２がカップ高さに一致することが好ましく、これにより、この位置において、第２下側ラム先端部上に置かれたカップの上部輪縁もまた型表面より下方に位置する。しかして、タブレットは、重力によりカップの中に落下する。これは、従来技術に比べて、タブレットのカップの中への、とりわけ迅速で正確且つ穏やかな挿入を可能にする。
【００３６】
正電極用のタブレットをカップの中に押圧するための、高さ段違いラムに対する好適な長さ差は、例えば、１ｍｍ〜６ｍｍの間のＬＤ１および１ｍｍ〜６ｍｍの間のＬＤ２であり、ＬＤ１がＬＤ２にほぼ等しいことが特に好ましい。タブレットは、たとえ傷つき易くまたは壊れ易いタブレットであっても安全にカップ中に挿入できるように、それらが製造された後直ちに挿入される。従来技術では、脆弱なタブレットの第１ロータリプレスから第２ロータリプレスへの搬送は、しばしば、損傷しかして不良品数の増加をもたらす。搬送デバイスの後に第２プレスステーションが続くのが好ましく、このステーションは、第２上側および下側ラム先端部によって、タブレットをカップの中に押圧する。有利には、タブレットの圧入は、段違いラムの長さ差ＬＤ１およびＬＤ２を調整することによって最適化することができる。第２プレス作業の過程では、第２下側ラム先端部がほとんど動かず、その間に第２上側ラム先端部が上からタブレットをカップの底に押圧するのが好ましい。プレスツールが、第２プレスステーションまで進行すると、下側ラム先端部がカップを固定位置に保持するのでこれが実際上受け手として機能する。プレス圧力は、主として上側ラム先端部を介してタブレットに加えられる。この力の効果がカップの底に対しタブレットを平たく押圧する。しかしてタブレットをより平たくするが、タブレットの直径は増大し、カップの内壁面と強固に相接する。好ましくは、中心的に挿入されたタブレットは、カップの底に対称性をもって押圧され、とりわけカップの輪縁部に均一に張り付く。これは、タブレットがカップの中にしっかりと確実に押圧され、損傷のリスクなくさらなる加工ステップに付すことが可能なことを意味する。カップ底の中に押圧されたこのタブレットは、多層の第２プレス品であり、第１プレス品（タブレット）に重ねて形成される。本ロータリプレスが、最終押圧されたカップを取出す取出しステーションも併せ含むことが好ましい。或るとりわけ好適な実施形態において、タブレットは金属酸化物タブレットであり、カップは金属カップである。圧入された金属酸化物タブレットを包含するカップは、好ましくは、ボタン型電池を製造するための正電極に相当する。単一のロータリプレス上のこれら製造ステップのシーケンスは、とりわけ一定で高品質のボタン型電池の製造を予想以上に可能にする。これは、従来技術における、別個のロータリプレス上でのタブレットの分離された製造、ならびにそれらの保管および輸送に起因して発生し得るばらつきをとりわけ防止する。
【００３７】
或る好適な実施形態において、第１プレスステーションは、第１プレス作業の過程でプレス圧力を測定するための計測デバイスを含み、ロータリプレスは取出しステーションを含み、このステーションは、プレス工程過程におけるプレス圧力が規定の正常範囲から逸脱するタブレットを取出すように構成される。この好適な実施形態において、タブレットの追加的品質管理を有利に設けることが可能である。加圧ローラステーションなどのプレスステーションが例えば計測セルなどの計測デバイスを含み、これによりプレス作業過程でプレス圧力を測定していることが知られている。例えば、プレスステーションの内部に測定アームを備えた計測セルを配置することが可能で、前記アームの屈曲度が、プレスに加えられた力に関する判断を可能にする。加えるプレス圧力の正常範囲は、材料の特性および所望の縁高さまたは硬度に基づいて規定される。この正常範囲は、好ましくは許容差を含み、これはタブレットの特性の許容可能なばらつき幅を反映する。第１プレス作業の過程で、この正常範囲から逸脱するプレス圧力が加えられた場合、不良が発生したことになる。これは、例えば、第１型キャビティの中に十分な材料が添加されなかったからかもしれない。また、プレス対象の第１材料が汚染されていることもあろう。プレス圧力が正常範囲から逸脱している場合、不具合タブレットを取出しステーションによって除去することが好ましい。或る好適な実施形態において、不具合タブレットは、取出しステーションにおいて、第１下側ラム先端部によって持ち上げ、取出しバーに乗せて排出することができる。下側ラムの高さ段違いは、好ましくは、この処理の間第２下側ラム先端部が型台の面より下方に位置しているので、とりわけ正確な取出しを可能にすることが判明した。
【００３８】
本発明の別の有利な実施形態において、第２プレスステーションは、第２プレス作業過程でのプレス圧力を測定するための計測デバイスを含み、ロータリプレスは選別ステーションを含み、このステーションは、第２プレス作業過程で圧入されたタブレットを含有するカップを、そのプレス圧力に基づいて、適切な圧入されたタブレットを含有するカップに対する搬送路、または、プレス圧力が規定の正常範囲から逸脱する場合は不適切な圧入されたタブレットを含有するカップに対する搬送路、のどちらかに向かわせるように構成される。この好適な実施形態は、カップの中へのタブレットの正しい押圧を監視し、要件を満たさない押圧されたタブレットを含有するカップを選り分けることを可能にする。この実施形態は、正電極を監視するためにはとりわけ好ましい。第２プレス作業におけるプレス圧力に対応する、正常範囲を規定することが好ましく、この規定は、カップの中へのタブレットのとりわけ均一な押圧をもたらし、しかして、好ましくは適切な正電極をもたらす。プレス圧力を測定するための計測デバイスを使ってこの正常範囲からの逸脱が検出された場合、それは不具合タブレット、またはカップの中に不正確に挿入されたタブレットを示す。例えば、不具合破損タブレットがカップの中に押圧された場合、例えばタブレットの半分のより小さな表面積に起因して、必要なプレス圧力はより小さくなる。このように、このプレス圧力管理によって、不具合な正電極は、その正電極が以降の製造工程中に入り込まないように、検出して確実に選り分けることができる。選別ステーションが、不具合正電極を、不適切な正電極に対する搬送路に向かわせることが好ましい。このために、選別ステーションが二分式取出しバーを含むことを選ぶことができ、適切な正電極は取出しバーの一方のセクションに運ばれ、不適切な正電極は取出しバーの他方のセクションに運ばれる。正電極の取出しの過程で、上側ラム先端部が、カップの底部が型台の上面に到達するまで圧入された金属酸化物タブレット上に留まっていることが好ましい。好ましくは、自動抑え込みデバイスが、上側ラム先端部がカップ内壁にはまり込んでカップを型平面のレベルの上方に持ち上げるのを防止する。同様に、良品正電極は、掻寄デバイスによって排出シュートに供給して収集容器中に導くことができ、不良正電極は、空気作用の個別選別システムによって廃棄品容器に分離することができる。
【００３９】
本ロータリプレスのとりわけ好適な実施形態において、両方のプレスステーションは、不具合タブレットおよび不具合正電極の両方を選り分けることができるように、プレス圧力に対する計測デバイスを含む。この組み合わせられた安全チェックは、押圧された正電極のとりわけ高い品質を確実にする。この二重の品質保証によって、本好適なロータリプレスは、たとえ大幅に増大された生産速度においても、正電極の一貫した高品質さを特徴とする。
【００４０】
本発明は、本発明によるロータリプレスを用いてボタン型電池用の正電極を製造するための方法にさらに関し、前記方法は、
ａ）充填ステーションによって、粉体、好ましくは金属酸化物の紛体を、第１型キャビティの中に添加する（dose）ステップと、
ｂ）粉体、好ましくは金属酸化物の紛体を、第１プレスステーションによって、タブレットに押圧するステップであって、プレス圧力が個別的に測定される、該押圧するステップと、
ｃ）ステップｂ）で測定されたプレス圧力が正常範囲から逸脱するタブレットを選択的に取出すステップと、
ｄ）カップ挿入ステーションによって、第２型キャビティの中にカップを挿入するステップと、
ｅ）好ましくは回転ゲートを含む搬送デバイスによって、第２型キャビティ中に置かれたカップにタブレットを挿入するステップと、
ｆ）第２プレスステーション、および第２上側ラム先端部と第２下側ラム先端部との相互作用によって、タブレットをカップの底に押圧するステップであって、プレス圧力が個別的に測定される、該押圧するステップと、
ｇ）正電極を取出すステップであって、これら正電極は選択的に、選別ステーションによって、ステップｆ）で測定されたプレス圧力に基づいて、適切な正電極に対する搬送路または不適切な正電極に対する搬送路に向かわされる、該取出すステップと、
を含む。
【００４１】
この好適な方法は、単一のロータリプレスによる、特にコスト節減的仕方での正電極の大量生産を可能にする。本方法は、好ましくは、カップ中にタブレットを押圧するのに適した、本発明によるロータリプレスの上記の好適な実施形態を用いる。該ロータリプレスの好適な実施形態の技術的特徴について前述した利点もまた、上記の方法に有利に適用される。例えば、タブレットを押圧するための好適なロータリプレスに対して、搬送デバイスとしての回転ゲートが、カップの中へのタブレットのとりわけ高速で正確な搬送を可能にすることが開示される。当業者は、回転ゲートが前述の方法で使用するためにもまた好適な搬送デバイスでもあること、およびカップの中へのタブレットの搬送に関して前述した利点もまた本方法に適用されることを推断しよう。
【００４２】
別の好適な実施形態において、本発明は、ロータリプレスの１周回の過程で少なくとも３つのプレス作業を遂行するためのロータリプレスに関し、該ロータリプレスが有核タブレットの製造に適すること、および、該ロータリプレスは、第１充填ステーションと、第１プレスステーションと、第２充填ステーションと、第２プレスステーションと、搬送デバイスと、第３充填ステーションと、第３プレスステーションとを含み、第１充填ステーションは、第１粉体を第１型キャビティの中に添加するように構成され、第１プレスステーションは、第１プレス作業において、第１型キャビティ中で第１粉体を核タブレットに押圧するように構成され、第２充填ステーションは、第２粉体を第２型キャビティの中に添加するように構成され、第２プレスステーションは、第２プレス作業において、第２型キャビティに対し第２粉体を押し固める（tamp）ように構成され、搬送デバイスは、核タブレットを、第２型キャビティの中の既に圧入された第２粉体の上に挿入するように構成され、第３充填ステーションは、第２粉体を第２型キャビティの中に添加するように構成され、これにより核タブレットは第２粉体によって覆われ、第３プレスステーションは、第２型キャビティ中の第２粉体で覆われた核タブレットを有核タブレットに押圧するように構成されることを特徴とする。
【００４３】
本好適なロータリプレスは、少なくとも３つの逐次的プレス作業を遂行するために、より有利に適しており、相重ねて行われるプレス作業において、プレス対象の材料／プレス済み製品をさらに処理することができる。第１充填ステーションと、第１プレスステーションと、第２充填ステーションと、第２プレスステーションと、搬送デバイスと、第３充填ステーションと、第３プレスステーションとが、ロータリプレスの周回の方向に沿って配置されていることが、とりわけ好ましい。第１充填ステーションによって、第１型キャビティの中に粉末状材料を添加することが好ましくは可能である。好ましくは、従来技術で既知のフィードシューを用いることができる。次いで、プレス対象の第１材料は、第１プレスステーションによって、第１型キャビティ中で押圧される。有核タブレットを製造するためには、型キャビティが円形の断面を有し、第１型キャビティの直径が第２型キャビティの直径よりも小さいことが特に好ましい。第１プレス作業において粉体を押圧することによって、プレス対象の第１材料は、好ましくは有核タブレットの核を形成する。本発明によれば、用語、核と核タブレットとは、好ましくは同義的に使用される。核の医薬組成物はコーティングの組成物とは異なる。例えば、核は、第１有効成分を含むことができ、これは、経口摂取の後でコーティングが消化された後、時間遅延を置いて生体によって吸収される。したがって、第２粉体は、好ましくは有核タブレットのコーティングを形成する粉末状材料である。第２粉体は、第２充填ステーションを使って、第２型キャビティの中に添加することができ、その間これらキャビティは第２下側ラム先端部によって下方を閉じられる。第２粉体は、好ましくは、第２プレスステーションを使い、第２上側および下側ラム先端部の相互作用によって第２下側ラム先端部に対して押し固められる。これは、核タブレットの安定した受容を可能にする。この押圧ステップは、本発明では押し固め（tamping）と呼ばれる。搬送デバイスは、第１プレス作業において製造された核を、容易に且つ迅速に第２型キャビティの中に搬送するために有利に使用することができる。下側ラムの高さ段違い設計は、この工程において前述の諸利点を発揮する。核は、好ましくは、第１下側ラム先端部が型台面と同一平面レベルにある間に搬送される。この配置において、第２下側ラム先端部は、第２型キャビティ中の型表面より下方にある。長さ差ＬＤ２は、製造対象の有核タブレットの縁高さの少なくとも半分、好ましくは少なくとも当該縁高さであることが好ましい。この時点で、核は、搬送デバイス、好ましくは回転ゲートまたは滑動具によって、とりわけ低い摩損で、型台上を第２型キャビティの中に移動することができる。タブレットを昇降または把持したり、または破砕を被り易い他の搬送運動を行ったりする必要はない。代わりに、核タブレットは、コーティング紛体上の中心に落下し、この粉体は、第２型キャビティ中の第２下側ラム先端部に対し押し固められている。有利には、これは、製造対象の有核タブレット内の核タブレットの正確な位置付けを可能にする。
【００４４】
当業者は、段違いラムの長さ差ＬＤ１およびＬＤ２が、好ましくは所望の有核タブレットの製造に対して調整されることが分かるであろう。しかして、これら長さ差は、核および有核タブレットの寸法だけでなく、プレス対象の材料の特性によっても左右される。多層または有核タブレットでは、プレス対象の材料の圧縮比は重要な役割を果たす。バルク粉体のペレットへの圧縮比は、好ましくは、１．５対１から７対１までの間とすることができる。有核タブレットを製造するための段違いラムの好ましい長さ差は、例えば、ＬＤ１は０．５ｍｍ〜４ｍｍの間、ＬＤ２は０．５ｍｍ〜４ｍｍの間である。第３充填ステーションは、好ましくは、上の方からコーティング粉体で核を覆うことを可能にする。第３プレスステーションは、好ましくは、第３充填ステーションのすぐ後に続き、第２上側および下側ラム先端部の相互作用によってプレス対象の第３多層材料を押圧するように構成される。第３プレス品は、好ましくは、第１粉体で構成される内部核と、第２粉体で構成され、有核タブレットを形成する外部コーティングとから成る。
【００４５】
本発明による段違いされた上側および下側ラムを含むロータリプレスを用いて、１周回の過程で有核タブレットが製造できることは予想以上のものであった。従来技術では、核タブレットを押圧し、その後それらをコートするために、別々のロータリプレスが使われていたが、今や、これを単一のロータリプレスで遂行することができる。これは、エネルギおよびプレスのオペレーションのための仕入れ原価を節減する。さらに、この製造では、必要なスペースが従来技術のソリューションよりも小さい。１つのロータリプレス上への様々なプレス作業の組み合わせが、品質の低下をもたらさず、むしろ有核タブレットの品質を向上させることはとりわけ予想以上のものであった。１つのプレス上の連続的なステップにおける異なった粉体の使用にもかかわらず、有核タブレットの個々の成分の高純度を保証することができる。これは、高さ段違いラムが搬送デバイスと相まって、各製造ステップおよびプレス作業の正確な遂行と分離とを可能にすることによる。
【００４６】
本発明の或る好適な実施形態において、本ロータリプレスは、プレスステーションが上側および下側加圧ローラを含み、それらがラム上に作用することを特徴とする。これらのプレスステーションは、加圧ローラステーションとして設計されることが好ましい。かかる加圧ローラステーションは、好ましくは、上側加圧ローラに対する上側受けデバイスおよび下側加圧ローラに対する下側受けデバイスを含む。上側および下側ラム上への力の印加は、加圧ローラによってとりわけ高精度で制御することができることが判明した。これは、高スループットでの均一なプレスを可能にする。
【００４７】
本発明の或る好適な実施形態において、第１プレスステーションは、第１プレス作業過程におけるプレス圧力を測定するための計測デバイスを含み、ロータリプレスは取出しステーションを含み、このステーションは、プレス工程過程におけるプレス圧力が規定の正常範囲から逸脱する核タブレットを取出すように構成される。この好適な実施形態では、押圧された核タブレットの品質は、第１プレスステーションにおいて、力測定によってチェックされる。このプレスステーションは、好ましくは、上側および下側加圧ローラを含む加圧ローラステーションとすることができ、第１プレス作業の過程で加えられたプレス圧力は、計測デバイスを使って測定することが可能である。第１プレス作業の過程で加えられたプレス圧力が規定正常範囲から逸脱している場合、不良品が発生した確率が極めて高い。例えば、核タブレットが軽すぎたり重すぎたりしていないかどうか、または該タブレットが、縁高さもしくはタブレット硬度に関して規定の製品特性を逸脱しているかどうかを判定することができる。核タブレットは、取出しステーションによって、迅速且つ高精度で選り分けることが可能である。既知の従来技術では、核タブレットの搬送および保管ステップは、コーティングのためにそれらを第２ロータリプレス中に供給するための品質管理の後で行われる。従来技術における搬送過程での損傷は、コストの高い追加のチェックによってだけ検出することが可能である。このプレス作業は、核タブレットがコーティング中に挿入されるのと同じロータリプレス上で実行されるので、有核タブレットの高品質を確実にすることができる。
【００４８】
本発明の或る好適な実施形態において、本ロータリプレスは、第３プレスステーションが第３プレス作業過程におけるプレス圧力を測定するための計測デバイスを備え、ロータリプレスが選別ステーションを含み、該選別ステーションは、第３プレス作業の過程で、第３プレス作業過程におけるプレス圧力に基づいて、有核タブレットを、適切な有核タブレットに対する搬送路または不適切な有核タブレットに対する搬送路に導くように構成される、ことを特徴とする。この実施形態では、好ましくは完成品の品質を監視することが可能である。第３プレス作業において測定されたプレス圧力が規定の正常範囲から逸脱している場合、当該有核タブレットは、選別ステーションによって選り分けられる。選別ステーションは、好ましくは、正常な有核タブレットと不具合な有核タブレットとに対する分離された搬送路を備えた二分式取出しバーを含むことができる。適切な有核タブレットと不適切な有核タブレットとに対する、効率的で高速な選別メカニズムが、単一のロータリプレスに実装可能なことは予想以上のものであった。単一のロータリプレス上での、有核タブレットの品質管理は、核タブレットの品質の監視と併せ、系統的検出エラーを低減するのでシナジーアドバンテージを有する。
【００４９】
或る好適な実施形態において、本発明は、本発明またはその好適な実施形態によるロータリプレスを用いて有核タブレットを製造するための方法に関し、本方法は、
ａ）第１充填ステーションによって、有核タブレットの核のための第１粉体を第１型キャビティの中に添加する（dose）ステップと、
ｂ）第１プレスステーションによって、該第１粉体を核タブレットに押圧するステップであって、プレス圧力が個別的に測定される、該押圧するステップと、
ｃ）ステップｂ）で測定されたプレス圧力が正常範囲から逸脱する核タブレットを選択的に取出すステップと、
ｄ）第２充填ステーションによって、有核タブレットのコーティングのための第２粉体を第２型キャビティの中に添加するステップと、
ｅ）第２プレスステーションによって、第２粉体を押し固めるステップと、
ｆ）好ましくは回転ゲートを含む搬送デバイスによって、第２型キャビティ中に配置された、押し固められた第２粉体の中に核タブレットを挿入するステップと、
ｇ）第３充填ステーションによって、核タブレットが第２粉体で覆われるように第２粉体を第２型キャビティの中に添加するステップと、
ｈ）第３プレスステーションによって、第２粉体でコートされた核タブレットを有核タブレットに押圧するステップであって、プレス圧力が個別的に測定される、該押圧するステップと、
ｉ）有核タブレットを取出すステップであって、これら有核タブレットは、ステップｈ）で測定されたプレス圧力に基づいて、適切な有核タブレットに対する搬送路、または不適切な有核タブレットに対する搬送路に選択的に向かわされる、該取出すステップと、
を含む。
【００５０】
本方法は、少なくとも３つのプレス作業を逐次的に遂行することが可能で、プレス対象の諸材料は１周回の過程でさらに加工される。これは、従来技術と比べて特殊なさらなる進展である。本方法が、１つのロータリプレス上の１周回の過程で有核タブレットを量産するために使用できることはとりわけ予想以上のものであった。別々のロータリプレス、およびそれらの間でのプレス済み製品の搬送は、有利に必要とされない。本方法は、好ましくは、本発明による、少なくとも３つのプレス作業を実行するのに適したロータリプレスの好適な当該実施形態を用いる。該ロータリプレスの好適な実施形態の技術的特徴について前述した利点は、上記の方法にもまた有利に適用される。例えば、有核タブレットを押圧するための好適なロータリプレスに対して、前述の核が、好ましくは、内側ピッチのサークルに在る第１型キャビティ中で押圧されることが開示される。第１型キャビティの大きさは、好ましくは第２型キャビティの大きさよりも小さく、第２型キャビティは外側ピッチのサークル上に同心円状に配置される。ロータリプレスの好適な実施形態において、これは、後続するコーティングのための、とりわけ穏やかで且つ迅速な核の搬送をもたらす。当業者は、例えば、上記の型キャビティの寸法および型式は、前述の方法においてもまた好ましいこと、および核タブレットの搬送に関して前述した利点もまた本方法に適用されることが理解できよう。
【００５１】
本発明を、以降の例を参照して詳細に説明することになるが、本発明はこれらの例には限定はされない。
【図面の簡単な説明】
【００５２】
【図１】正電極の好適な実施形態の概略図である。
【図２】高さ段違いラムを例示するための、ロータリプレスの好適な実施形態のロータの断面の概略図である。
【図３】高さ段違い下側ラムによって押圧されたタブレットの取出しを例示するための、ロータリプレスの好適な実施形態の側面図の概略図である。
【図４】ボタン型電池の正電極を製造するためのロータリプレスの好適な実施形態の概略図である。
【図５】ボタン型電池の正電極を製造するための逐次ステップを例示するための、図４のロータリプレスの好適な実施形態の概略上面図である。
【図６】第１型キャビティから第２型キャビティにタブレットを搬送するための回転ゲートとして設計された搬送デバイスの好適な実施形態の概略図である。
【図７】押圧された正電極を選別し取出すための選別ステーションの好適な実施形態の概略図である。
【図８】有核タブレットを製造するためのロータリプレスの好適な実施形態の概略図である。
【図９】本ロータリプレスの好適な実施形態に対する様々な応用の概観図である。
【発明を実施するための形態】
【００５３】
図１は、正電極（cathode）の製造のために行われるような、タブレット１をカップ２の中へ押圧するステップの概略図を示す。バルク金属酸化物タブレット１．１は、好ましくはカップ２より小さな直径を有し、カップ２の中に挿入される。上側および下側ラム（図示せず）の相互作用によって、この金属酸化物タブレットの縁高さは低減され、他方その直径は増大する。この工程において、タブレット１は、カップの底に平たく押圧される。平たく圧入された金属酸化物タブレット１．２は、しかしてカップの内壁に強固に相接する。プレス作業の過程で空気は漏出させることができ、平たく圧入された金属酸化物タブレット１．２はカップ２中に強固に且つ確実に残存する。
【００５４】
図２は、高さ段違いラム１０および１１の好適な実施形態の概略図を示す。上側ラム１０は、上側ラムガイド１７中に配置され、第１上側ラム先端部１２および第２上側ラム先端部１３を含む。第１上側ラム先端部１２の長さは、第２上側ラム先端部１３の長さよりも長さ差ＬＤ１分短い。第１上側ラム先端部１２が、第２上側ラム先端部１３よりも小さな直径を有することがさらに好ましい。他方、下側ラム１１は、下側ラムガイド１９によって導かれ、第１下側ラム先端部１４（引き込まれていない）および第２下側ラム先端部１５（引き込まれていない）を含む。第１下側ラム先端部１４の長さは、第２下側ラム先端部１５の長さよりも長さ差ＬＤ２分長い。示された実施形態では、長さ差ＬＤ１とＬＤ２とは同じである。さらに、第１上側および下側ラム先端部、１２および１４は、同じ形状と同じ直径とを有する。このことは、第２上側および下側ラム先端部、１３および１５についても同様である。上側および下側ラム、１０と１１とは、第１型キャビティ３２と第２型キャビティ３３とに整列される。円形の型キャビティ３２および３３のサイズと形状とは、それぞれ、上側および下側ラム先端部、１２および１４、または１３および１５の整列された対のサイズと形状とにそれぞれ一致する。示された実施形態では、これら型キャビティは、型インサート１６中への開口によって形成され、これらインサートは型台１８の凹部の中に配置される。
【００５５】
図３は、ロータリプレスの好適な実施形態の側面図を示し、該ロータリプレスは、図２による高さ段違いラムを含む。図２に示されるように、第１上側および下側ラム先端部、１２および１４は、内側ピッチのサークル上に配置され、一方、第２上側および下側ラム先端部、１３および１５は、外側ピッチのサークル上を導かれる。中央の４つの型インサート１６の中に下側ラム先端部１４および１５を見ることができる。外側の、第２下側ラム先端部１５は、型台の上部エッジと同一平面にある。内側の、第１下側ラム先端部１４は、長さ差ＬＤ２のため、型の上部エッジを超えて突き出ている。下側ラムの高さ段違いによって、第２下側ラム先端部１５は、第１下側ラム先端部１４によってタブレット１を取出す障害とはならない。
【００５６】
図４および図５は、タブレットをカップ中への押圧するための、好適なロータリプレスの概略斜視図と上面図とを示す。これらのタブレットは、好ましくは、ボタン型電池用の正電極を製造するための金属酸化物タブレットである。このロータリプレスの構成部分は、搭載プレート２７上に搭載される。より良い全体把握のために、該ロータリプレスのマシンのハウジング、マシン基台、および駆動システムは示されていない。ロータリプレスのロータ２８は、上側および下側ラムガイド、１７および１９と、型台１８と、上側および下側ラム、１０および１１とを含む。ロータ２８の周回の方向が矢印で示されている。ロータの回転すなわちロータリプレスの周回の過程で、ラムは、様々な機能アセンブリまたはステーションを通して、型台１８中の型インサート１６と一緒に回転し、これが正電極の製造工程となる。このロータリプレスのアセンブリまたはステーションを、ロータ２８の回転の方向に沿ったそれらの作業の順序に従って説明する。第１充填ステーション２９によって、第１粉体、好ましくは金属酸化物の粉体が、型インサートの第１型キャビティの中に充填される。図５中に見ることができるように、このための充填ステーション２９は、好ましくは、第１型キャビティの中に金属酸化物の粉体を充填し添加するための、材料供給システムを備えたフィードシューと、羽根車と、掻寄デバイスとを含む。第１型キャビティ３２を充填した後、型インサート１６は、第１プレスステーション２０の下へと回転する。好適な実施形態において、これは、上側加圧ローラ３０および下側加圧ローラ（見えない）を有する加圧ローラステーションである。この回転の過程で、上側ラムシャフト４４は上側加圧ローラ３０の下を通過する。このような仕方で、上側ラム１０は下向きのプレス圧力を受ける。同様に、下側ラム１１は上向きのプレス圧力を受け、これにより、第１上側ラムと下側ラムとが、第１型キャビティ３２中の粉体をタブレット１に押圧する。第１プレスステーション２０で、このプレス圧力が計測セルによって測定されることが好ましい。測定されたプレス圧力が規定の正常範囲から逸脱しているならば、当該不具合タブレットは取出しステーション２３において取出される。取出しステーション２３は、好ましくは、排出シュートを含み、取出しは、第１下側ラム先端部１４を上昇させることにより行われる。タブレット１を製造し、電気的に制御される取出しステーション２３による品質チェックの後、カップ２が当該第２型キャビティ３３の中に挿入される。このために、カップ２が、振動フィーダの搬送バー中の供給デバイス２１、およびカップ挿入ステーション２２のコンベアベルトによって供給される。カップ挿入ステーション２２は、好ましくは、把持アームを備えた回転ゲートを含み、該ゲートがカップ２を接収し、それらを回転運動で第２型キャビティ３３に搬送する。カップ挿入ステーション２２は、最初に、その後の正確な挿入のためカップ２を分離する。これは、カップ２挿入の高いサイクルレートを可能にする。カップを挿入した後、搬送デバイス２４によって、タブレット１がカップ２の中に運ばれる。図６は、好適な搬送デバイス２４の動作を示す。第２型キャビティ３３中に位置するカップ２の中にタブレット１を挿入した後、タブレット１は第２プレスステーション２５によって圧入される。第２プレスステーションも加圧ローラ円柱であり、プレスステーション２０におけるのと同様に、上側加圧ローラ３１および下側加圧ローラ（図示せず）がラムと相互作用することが好ましい。これら加圧ローラは、下側ラム１１がそれらの位置にほぼ一定に留まるように調整されることが好ましい。第２プレス作業の過程において、第２下側ラム先端部１５はしたがって受け手としての役割をし、第２上側ラム先端部１３は、タブレット１をカップの底の上に均一且つ均質に押圧することが可能である。これは、エアポケットを効果的に防止する。金属酸化物タブレットの場合、仕上がった圧入済みタブレット１を含有するカップ２は正電極と呼ばれ、これはボタン型電池にさらに加工することができる。この第２プレス作業の過程でプレス圧力が測定されることが好ましい。選別ステーション２６において、このプレス圧力と規定の正常範囲とを比較することによって、適切な正電極と不適切な正電極とは相異なる容器に向かわされる。図７は、選別ステーション２６の動作の概略図を示したものである。
【００５７】
図６は、タブレット１をカップ２の中に運ぶための好適な搬送デバイス２４の概略図を示す。第１下側ラム先端部１４は、第１下側ラム先端部１４（引き込まれていない）の上端が型台１８の面と同じ高さになる位置に移動される。これにより、タブレット１は型台１８の面と同じレベルになる。第２下側ラム先端部１５（引き込まれていない）が、第１下側ラム先端部１４の長さよりも、長さ差ＬＤ２分短い長さを有することが好ましく、ＬＤ２は、ＬＤ２がカップの高さ以上になるように選択される。この位置において、第２型キャビティ３３中の第２下側ラム先端部１５上に置かれたカップ２は、しかして型台１８の面の下方に位置する。したがって、搬送デバイスの中を通過するとき、タブレット１は、好適な回転ゲート３６の単純な回転運動によってカップの中に移動させることができる。このために、回転ゲート３６は２つの半径方向に延びるアームを含み、これらの形状および間隔はタブレットのサイズに合わせ調整される。回転ゲート３６の回転数は、タブレット１が正確にタイミングを合わせてカップ２の中に挿入されるように、型台１８の回転速度に合わせ調節される。
【００５８】
図７は、好適な選別ステーション２６の概略図を示す。好ましくは正電極である、圧入されたタブレット１を包含するカップ２は、好ましくは、第２下側ラム先端部１５を上昇させることによって取出される。第１下側ラム先端部１４は、内側ピッチのサークルに配置されているので、これらは、取出しの方向に正電極の背後に位置する。高さ段違いラムであるため、第１下側ラム先端部１４は、型台１８の面から、少なくとも長さ差ＬＤ２分突き出ており、しかして正電極の取出しを妨害することはない。この取出し動作は、タブレットが圧入されたときに測定されたプレス圧力の如何により決まる。プレス圧力が規定の正常範囲内の場合は、当該正電極は適切である。プレス圧力が規定の正常範囲から逸脱している場合は、その正電極は不具合と評価される。不具合、不適切な正電極は、選別ステーションに入ったとき、不良品容器（図示せず）の中に向けて第１搬送路２６ｂ上に取出される。適切な正電極は、やや遅れて排出シュートの第２搬送路２６ａの中に取出され、適切な正電極用の容器の中に収置される。
【００５９】
図８は、有核タブレットを製造するための好適なロータリプレスの概略図を示す。このロータリプレスのロータ２８は、上側および下側ラムガイド、１７および１９と、型台１８と、高さ段違い上側および下側ラム、１０および１１と（全て引き込まれていない）を含む。ロータ２８の回転の方向が矢印で示されている。ロータの回転すなわちロータリプレスの周回の過程で、ラム１０および１１は、様々な機能アセンブリを通って型台１８中の型インサート１６と一緒に回転し、これが有核タブレットの製造工程を可能にする。このロータリプレスの諸アセンブリを、ロータ２８の回転の方向に沿った製造工程のフローに従って説明する。各々が第１型キャビティ３２および第２型キャビティ３３を含む型インサート１６は、型台１８の凹部の中に存在する。これら型キャビティは、好ましくは円形の形状であって、第１型キャビティ３２は、第２型キャビティ３３よりも小さな直径を有する。さらに、第１型キャビティ３２は、内側ピッチのサークルに存在し、一方、第２型キャビティ３３は外側ピッチのサークルに配置される。第１充填ステーション２９によって、核４１用の第１粉体が型インサートの第１型キャビティ３２の中に充填される。次いで、第１プレス作業において、この粉体は、第１プレスステーション２０を通過する間に核タブレット４１に押圧される。このために、プレスステーション２０において、上側および下側加圧ローラが上側および下側ラムと相互作用することが好ましい。この工程において、プレスステーション２０中の計測セルによってプレス圧力が測定され、正常範囲と比較されることが好ましい。不具合タブレットは、プレス圧力のチェックを介して検出され、個別選別システムによって取出しステーション２３の不良品ダクトに導かれることになろう。取出しステーション２３は、好ましくは、排出シュートを含み、取出しは第１下側ラム先端部１４を上昇させることによって行われる。核タブレット４１を製造した後、第２充填ステーション３８によって、該核タブレット４１のコーティング用の第２粉体が、第２型キャビティの中の第２下側ラム先端部１５の表面域上に添加する。第２粉体は、第２プレスステーションにおいて、上側加圧ローラ３１および下側加圧ローラ（図示せず）のラムとの相互作用によって押し固められる。この工程は、好ましくは押し固め（tamping）と称される。コーティング用の第２粉体の軽度な押し固めは、核タブレット４１のとりわけ正確な位置付けを可能にする。核タブレット４１を、第２型キャビティ３３中に既に押し固められたコーティング底部上に挿入するために、搬送デバイス２４が用いられる。図６に示されている好適な搬送デバイス２４は、好ましくは核タブレット４１を挿入するためにも適している。核タブレット４１が第２型キャビティ３３中のコーティング底部の上に挿入された後、第３充填ステーション３９によって、第２粉体である追加の金属紛体が添加される。しかして、核タブレット４１は、コーティング粉体によって完全に包含される。第３プレス作業において、この有核タブレット４３は、第３プレスステーション４０ならびに上側加圧ローラ４２および下側加圧ローラ（図示せず）によって押圧される。この第３��レス作業の過程でプレス圧力が測定されることが好ましい。選別ステーション２６において、適切な有核タブレットと不適切な有核タブレットとは、そのプレス圧力を規定の正常範囲と比較することによって、相異なる容器に向かわされる。このために、図７中に示された選別ステーション２６および動作モードが用いられることが好ましい。
【００６０】
図９は、本発明による高さ段違いラムを有するロータリプレスの応用の様々の好適な分野を表す。ラムの高さ段違いによって、１周回の過程で、相重ねて行うことが可能な複数のプレス作業を遂行することができる。これは、１周回の過程で複雑な製品を製造することを可能にする。前述のように、好ましくは１周回の過程で有核タブレットを製造することができる。さらに、単一のロータリプレスの１周回の過程で、多層タブレット、好ましくは３層タブレットを製造することが好ましくは可能である。上記の多層タブレットの製造に対し、第１および第２型キャビティは好ましくは円形であり、第１型キャビティの直径は第２型キャビティの直径よりもほんのわずかに小さい。第１型キャビティが型台の内側ピッチのサークルに配置され、第２型キャビティが外側ピッチのサークルに配置されることが好ましい。内部の第２層の粉体は、好ましくは、第１充填ステーションによって第１型キャビティの中に添加され、次いで、第１プレスステーションによってタブレットに押圧される。次に、第２充填ステーションが、第３層の材料を第２型キャビティの中に添加され、これが第２プレスステーションによって押圧される。搬送デバイスが、多層タブレットの第２層を形成する該タブレットを、第２型キャビティの中の既に押し固められた第３層の上に配置することができる。第３充填ステーションおよびプレスステーションは、好ましくは、第１層の上を押圧し、しかして多層タブレットを完成することができる。上記で詳しく説明したように、本発明による段違いラムによって、好ましくはタブレットをカップまたは他の容器の中に押圧することがさらに可能である。これら段違いラムは、しかして、１周回の過程で複数の構成要素による製品を押圧するとりわけ簡単な仕方を、予想以上にうまく提供する。有利には、多層タブレットの第２層を形成するタブレットである、有核タブレットの場合における核、または正電極を製造するための金属酸化物タブレットなどの第１プレス品は、第１層に重ねて行うプレス作業においてさらに加工をすることができる。但し、本段違いラムは、個別のプレス作業において、別々の製品を製造するために用いることも可能である。例えば、例示したように、周回の第１半分の過程で、第１型キャビティ中でより小さな直径のタブレットを製造し、周回の第２半分の過程で、第２型キャビティ中でより大きな直径のタブレットを製造することを選ぶこともできる。これは、製薬産業のために、該周回において単一のタブレットを用いて、異なる重量のタブレットを製造することを可能にする。例えば、内側ピッチのサークル上の第１型キャビティ中で５０ｍｇのバッチのタブレットを製造することができ、一方、外側ピッチのサークル上の第２型キャビティ中では１００ｍｇのバッチのタブレットが流動される。相異なる用量のこれらのタブレットを製造するため、同じ有効成分を有する同じプレス材料が使用されることが好ましい。従来技術と比べて、本段違いラムは、しかしてプレス品の数および複雑さに関し明らかに増大されたフレキシビリティを提供する。
【００６１】
なお、本発明を実行し本発明によるソリューションに到達するために、説明された本発明の諸実施形態に対する様々な代替案を用いることが可能である。本発明によるロータリプレス、および説明した方法におけるその使用の諸実施形態は、前述の好適な実施形態に限定はされない。それどころか、多数の設計バリアントが考えられ、これらは提示されたソリューションとは違っていてよい。特許請求の範囲の目的は、本発明の保護の範囲を定義することである。特許請求の範囲に明示された保護の範囲は、本発明によるロータリプレスおよび好適な方法はもとより、それらの等価な諸実施形態を網羅することが意図されている。
【符号の説明】
【００６２】
１  タブレット
１．１  バルク金属酸化物タブレット
１．２  圧入された金属酸化物タブレット
２  カップ
１０  上側ラム
１１  下側ラム
１２  第１上側ラム先端部
１３  第２上側ラム先端部
１４  第１下側ラム先端部
１５  第２下側ラム先端部
１６  型インサート
１７  上側ラムガイド
１８  型台
１９  下側ラムガイド
２０  第１プレスステーション
２１  カップ供給デバイス
２２  カップ挿入ステーション
２３  不具合タブレットに対する取出しステーション
２４  搬送デバイス
２５  第２プレスステーション
２６  選別ステーション
２６ａ  適切な正電極に対する搬送路
２６ｂ  不適切な正電極に対する搬送路
２７  搭載プレート
２８  ロータ
２９  第１充填ステーション
３０  第１プレスステーションの上側加圧ローラ
３１  第２プレスステーションの上側加圧ローラ
３２  第１型キャビティ
３３  第２型キャビティ
３４  プレス対象／プレス品の第１材料
３５  プレス対象／プレス品の第２材料
３６  回転ゲート
３７  凹部
３８  第２充填ステーション
３９  第３充填ステーション
４０  第３プレスステーション
４１  核タブレット
４２  第３プレスステーションの下側加圧ローラ
４３  有核タブレット
４４  上側ラムシャフト
４５  下側ラムシャフト
【図１】
2019510637.tif 000003
【図２】
2019510637.tif 000004
【図３】
2019510637.tif 000005
【図４】
2019510637.tif 000006
【図５】
2019510637.tif 000007
【図６】
2019510637.tif 000008
【図７】
2019510637.tif 000009
【図８】
2019510637.tif 000010
【図９】
2019510637.tif 000011
【国際調査報告】
2019510637.tif 000012
2019510637.tif 000013
2019510637.tif 000014
2019510637.tif 000015
2019510637.tif 000016
2019510637.tif 000017